(57)【要約】【課題】保守点検作業中に、作業者がケーブルを引っ掛けたときに、回路基板をケーブルと平行となるように回動し、ケーブルにつながる一連の配線部品の損傷を抑制する。【解決手段】パチンコ機において、裏機構板３の背面に基板設置部材１１を取り付ける。基板設置部材１１に収納ボックス１２を上端の水平軸４３で前後方向へ回動可能に取り付ける。収納ボックス１２に外部中継基板５を収納し、その基板側コネクタ１４に基板面と平行なピン１９を設ける。ピン１９にケーブル側コネクタ１５のソケット２１を接続し、ケーブル１６をパチンコ機の内外に配線する。ケーブル１６が斜め下方へ引っ張られると、収納ボックス１２が回動し、ケーブル１６の折れ曲がりを防止する。大きな張力が作用した場合は、ケーブル側コネクタ１５が基板側コネクタ１４から容易に引き抜かれる。【選択図】　　　　図３
2004113555.tif 000002
【特許請求の範囲】
【請求項１】
機体の背面側に基板設置部材を設け、基板設置部材に回路基板を取り付け、回路基板に設けた基板側コネクタにケーブル側コネクタを接続して、電気配線を行う遊技機において、
基板側コネクタの接続導体を回路基板の板面と平行に設け、基板側コネクタからケーブル側コネクタと反対方向へ離れた位置に、回路基板を基板設置部材に対し回路基板の周縁と略平行な軸線の周りで回動可能に取り付ける取付手段を設けたことを特徴とする遊技機。
【請求項２】
回路基板を収納ボックスに収納し、基板側コネクタを収納ボックスの外に露出させ、収納ボックスを取付手段により基板設置部材に回動可能に取り付けた請求項１に記載の遊技機。
【請求項３】
取付手段が、回路基板を基板設置部材に対し回路基板の板面と略直角な軸線の周りで回動可能に連結する連結部材を備えた請求項１又は２に記載の遊技機。
【請求項４】
基板側コネクタに、一対のコネクタ素子を回動可能に連結した屈曲型コネクタを介し、ケーブル側コネクタを接続した請求項１〜３のいずれか一項に記載の遊技機。
【請求項５】
機体の背面側上部に基板設置部材を設け、回路基板に基板側コネクタを接続導体が下向きとなる形態で設け、取付手段が基板側コネクタより上位に回路基板の上側縁と平行な水平軸を備え、水平軸により回路基板を基板設置部材に対し機体の前後方向へ回動可能に取り付けた請求項１〜４のいずれか一項に記載の遊技機。
【請求項６】
回路基板を基板設置部材に対し略平行に保持するスナップ部材を備えた請求項１〜５のいずれか一項に記載の遊技機。
【発明の詳細な説明】
【０００１】
【発明の属する技術分野】
本発明は、機体の背面側に回路基板を取り付けた遊技機に関するものである。
【０００２】
【従来の技術】
遊技球を発射して遊技を行う遊技機においては、一般に、回路基板を用いて大部分の装置を電子制御している。例えばパチンコ機では、遊技全般を統括制御する主制御基板、賞球又は貸球の払い出しを制御する払出制御基板、図柄表示器の図柄変動を制御する図柄制御基板、機内機器と遊技島設備との配線を中継する外部中継基板、発射機構を制御する発射制御基板など、多種類の回路基板が用いられている。これらの回路基板は、通常、機体の背面側に設けた基板設置部材に取り付けられている。そして、回路基板の基板側コネクタにケーブル側コネクタを接続して、その回路基板と別の機器との電気配線を行っている。
【０００３】
機体の背面側に回路基板を取り付けた遊技機として、従来、下記の特許文献に記載された技術が知られている。
【特許文献１】特開平９−７１４号公報。
【特許文献２】特開平１１−１２８４９６号公報。
【特許文献３】特開２００１−１３７５０７号公報。
【０００４】
特許文献１には、機枠の背面側上部に基板設置部材を設け、基板設置部材の縦溝に外部中継基板を挿入し、その基板側コネクタの接続導体（ピン）を基板面から直角に突出する向きで設け、基板側コネクタにケーブル側コネクタを接続し、電気配線を機枠の上から下へ引き回す技術が開示されている。
特許文献２には、機体に固定した基板設置部材に、ケーブル側コネクタを移動不能に固定するとともに、基板ボックスを回動可能に取り付け、基板ボックスに回路基板を収納し、基板ボックスの回動操作により基板側コネクタをケーブル側コネクタに着脱する技術が開示されている。
特許文献３には、ケーブル側コネクタに爪を設け、基板側コネクタに孔を形成し、爪を孔に掛止し、この掛止部分をカバーで外側から覆い、両コネクタを外部操作により分離不能に結合する技術が開示されている。
【０００５】
【発明が解決しようとする課題】
ところで、遊技店では、営業時間外に、遊技機を入れ替えたり、機内機器を点検したり、営業時間内には、遊技島設備と機内球タンクとの間の遊技球循環通路で球詰まりを解消したりするなど、各種の保守点検作業が行われる。こうした作業は遊技機の前枠を開放して機体の背面側で行われるが、そこには多数本のケーブルが縦横に配線されているため、作業中に作業者が誤ってケーブルを引っ掛けることがよくある。この場合、従来の遊技機によると、ケーブルにつながる一連の配線部品に無理な力が作用し、これらの部品が変形したり破損したりするおそれがあった。
【０００６】
例えば、特許文献１の遊技機によると、外部中継基板が機枠上部の基板設置部材に固定されているため、外部中継基板の下側で作業者がケーブルを引っ掛けると、ケーブルがコネクタとの接続部分で折れ曲がったり、基板側コネクタが無理に引き下げられて変形したり、その接続導体であるピンの半田付け部分が回路基板から剥がれたりするおそれがあり、基板側コネクタの破損程度によっては、回路基板の全体を交換する必要もあった。
特許文献２の遊技機の場合は、ケーブル側コネクタが基板設置部材に固定されているため、作業者がケーブルを引っ掛けると、回路基板に無理な力は作用しないが、ケーブルがコネクタとの接続部分で折れ曲がり、ときには断線する可能性があった。
特許文献３の遊技機の場合は、ケーブル側コネクタと基板側コネクタとが掛止爪で分離不能に結合されているため、作業者がケーブルを引っ掛けると、特許文献１と同様、ケーブルが折れ曲がったり、基板側コネクタが変形又は破損したりするなどの問題点があった。
【０００７】
そこで、本発明の目的は、作業者がケーブルを引っ掛けたときに、回路基板をケーブルと平行となるように回動し、ケーブルにつながる一連の配線部品の損傷を抑制することができる遊技機を提供することにある。
【０００８】
【課題を解決するための手段及び作用・効果】
上記の課題を解決するために、請求項１の発明は、機体の背面側に基板設置部材を設け、基板設置部材に回路基板を取り付け、回路基板に設けた基板側コネクタにケーブル側コネクタを接続して、電気配線を行う遊技機において、基板側コネクタの接続導体を回路基板の板面と平行に設け、基板側コネクタからケーブル側コネクタと反対方向へ離れた位置に、回路基板を基板設置部材に対し回路基板の周縁と略平行な軸線の周りで回動可能に取り付ける取付手段を設けたことを特徴とする。
【０００９】
ここで、基板設置部材は、特定の部材に限定されず、例えば、機体の外郭を形成する機枠の背面側の一部分に基板設置部材を取り付けたり、遊技盤の裏側で各種機器を取り付ける裏機構板の一部分に基板設置部材を取り付けたり、或いは、機枠又は裏機構板の一部分を基板設置部材として利用したりすることができる。基板設置部材に取り付けられる回路基板としては、特定の基板に限定されず、前述した主制御基板、払出制御基板、図柄制御基板、発射制御基板、外部中継基板のほか、これらの基板に電力を供給する電源基板、主制御基板と遊技盤に設けられたスイッチ類との間で信号を中継する盤面中継基板、払出制御基板と遊技球払出装置との間で信号を中継する払出中継基板などを例示できる。
【００１０】
基板側コネクタ及びケーブル側コネクタは、どちらを雄型又は雌型にしてもよい。例えば、基板側コネクタに雄型コネクタを用い、ケーブル側コネクタに雌型コネクタを用い、雄型コネクタのピンに雌型コネクタのソケットを接続して、その回路基板と別の機器との間に通信ケーブルや電源ケーブルなどを配線することができる。この場合、雄型コネクタのピンや雌型コネクタのソケットをＬ字形に形成し、その長辺部を接続導体とすることで、基板側コネクタ及びケーブル側コネクタの接続導体を共に回路基板と平行な状態で接続することができる。
【００１１】
回路基板の取付手段としては、軸を用いることもでき、軸以外の部材、例えば蝶番、フック、自在継手など、回路基板の回動軸線を形成する各種の部材又は機構を用いることもできる。回動軸線の位置及び方向は、基板側コネクタとケーブル側コネクタとの相対位置に応じ、例えば以下のように設定される。
（ａ）ケーブル側コネクタが基板側コネクタより下位にある場合、回動軸線は基板側コネクタより上位で回路基板の上側縁と平行に設定される。
（ｂ）ケーブル側コネクタが基板側コネクタより上位にある場合、回動軸線は基板側コネクタより下位で回路基板の下側縁と平行に設定される。
（ｃ）ケーブル側コネクタが基板側コネクタより右側にある場合、回動軸線は基板側コネクタより左側で回路基板の左側縁と平行に設定される。
（ｄ）ケーブル側コネクタが基板側コネクタより左側にある場合、回動軸線は基板側コネクタより右側で回路基板の右側縁と平行に設定される。
【００１２】
上記構成によれば、基板側コネクタの接続導体が回路基板の板面と平行に設けられているので、作業者が誤ってケーブルを引っ掛けた場合には、ケーブルに作用する張力で回路基板がケーブルと平行となるように回動する。このため、ケーブル、ケーブル側コネクタ及び基板側コネクタが一直線となり、ケーブルの折れ曲がりが防止される。また、ケーブルに大きな張力が作用した場合には、ケーブル側コネクタが基板側コネクタから容易に引き抜かれる。このときも、回路基板がケーブルと平行に配置されているので、ケーブル、ケーブル側コネクタ、基板側コネクタ及び回路基板のいずれにも無理な力が作用せず、ケーブルにつながる一連の配線部品の損傷を抑制することができる。なお、回路基板の質量を考慮すると、主制御基板や払出制御基板などの重い制御基板よりも、外部中継基板や盤面中継基板などの軽い中継基板ほど、高い損傷抑制効果が得られる。
【００１３】
請求項２の発明による遊技機は、回路基板を収納ボックスに収納し、基板側コネクタを収納ボックスの外に露出させ、収納ボックスを取付手段により基板設置部材に回動可能に取り付けたことを特徴とする。この構成によれば、回路基板上の電子回路を収納ボックスで覆って、損傷や塵埃から保護することができる。また、回路基板が収納ボックスを介して基板設置部材に取り付けられるので、回路基板に取付用の加工を不要にできるとともに、回路基板の交換作業を容易にできる利点もある。
【００１４】
請求項３の発明による遊技機は、取付手段が、回路基板を基板設置部材に対し回路基板の板面と略直角な軸線の周りで回動可能に連結する連結部材を備えたことを特徴とする。具体的には、取付手段が、回路基板の周縁と平行な軸線を形成する軸と、回路基板の板面と直角な軸線を形成する軸とを備え、後者の軸が連結部材に設けられる。或いは、連結部材に球体継手を用いることで、２本の軸線を連結部材単独で形成することも可能である。いずれの構成によっても、基板設置部材に対し回路基板が直交２軸線周りで回動可能に取り付けられるので、ケーブルがどの方向に引っ張られた場合でも、配線部品の損傷をより効果的に抑制することができる。
【００１５】
請求項４の発明による遊技機は、基板側コネクタに、一対のコネクタ素子を回動可能に連結した屈曲型コネクタを介し、ケーブル側コネクタを接続したことを特徴とする。ここで、屈曲型コネクタは一対のコネクタ素子のなす角度を変化自在に構成され、一方の素子が基板側コネクタに接続され、他方の素子がケーブル側コネクタに接続される。この構成によれば、ケーブルを回路基板の前方（機体の内側）にも後方（機体の外側）にも配線できて、配線レイアウトの自由度が向上し、かつ配線作業も容易となる。また、ケーブルの変位量が僅かであった場合は、その変位分を屈曲型コネクタの回動により吸収して、回路基板を不必要にバタ付かせず、振動や衝撃から保護することもできる。
【００１６】
請求項５の発明による遊技機は、機体の背面側上部に基板設置部材を設け、回路基板に基板側コネクタを接続導体が下向きとなる形態で設け、取付手段が基板側コネクタより上位に回路基板の上側縁と平行な水平軸を備え、水平軸により回路基板を基板設置部材に対し機体の前後方向へ回動可能に取り付けたことを特徴とする。この構成は、機体上部に設置されるがために、機体下部でケーブルを引っ掛けやすい回路基板、例えば、機内機器と遊技島設備との配線を中継する外部中継基板などに好ましく適用でき、その回路基板につながる一連の配線部品の損傷を効果的に抑制することができる。
【００１７】
請求項６の発明による遊技機は、回路基板を基板設置部材に対し略平行に保持するスナップ部材を備えたことを特徴とする。スナップ部材としては、凹部と凸部との嵌合によるもの、摩擦により保持力を発揮するもの、バネを用いたものなどを例示できる。この構成によれば、遊技機を遊技店に搬入出する際に、回路基板の回動をスナップ部材で規制しておくことで、回路基板の飛び出しによる他の機器との衝突を未然に防止することができる。
【００１８】
【発明の実施の形態】
以下、本発明の実施の形態を図面に基づいて説明する。
＜第１実施形態＞
図１〜図８は、本発明をパチンコ機に具体化した第１実施形態を示すものである。図１に示すように、パチンコ機の機体１は、外郭を形成する機枠２と、機枠２の背面側に固定された裏機構板３とから構成されている。裏機構板３の上端部には遊技球タンク４が設置され、このタンク４の右側に外部中継基板５を取り付けるための回路基板取付装置６が設置されている。また、裏機構板３の下部には主制御基板７と払出制御基板８とが左右に並設されている。
【００１９】
図２及び図３に示すように、回路基板取付装置６は基板設置部材１１と収納ボックス１２とから構成され、基板設置部材１１は複数本のネジ１３で裏機構板３に取り付けられ、収納ボックス１２の内側に外部中継基板５が収納されている。外部中継基板５の表面（裏機構板３と反対側の面）には、雄型コネクタを用いた５個の基板側コネクタ１４が固定され、各コネクタ１４にケーブル側コネクタ１５が接続される。そして、図２の左側２個の基板側コネクタ１４と払出制御基板８との間に２本のケーブル１６が配線され、右側３個の基板側コネクタ１４と遊技島設備との間に３本のケーブル１６が配線され、払出制御基板８が出力した各種信号が外部中継基板５を介して遊技島設備に送信されるようになっている。
【００２０】
図４（ａ），（ｂ）に示すように、基板側コネクタ１４のハウジング１８には、Ｌ字形のピン１９が複数本内装され、その短辺部は外部中継基板５の回路面に半田付けされ、接続導体としての長辺部は外部中継基板５の板面と平行な状態で下向きに突設されている。ケーブル側コネクタ１５のハウジング２０には、ピン１９の長辺部が挿入接続されるソケット２１が複数本埋設され、その基端はケーブル１６に半田付けされている。また、ハウジング１８にはピン側係合部２２が形成され、ハウジング２０にはソケット側係合部２３が形成され、両係合部２２，２３の弾性係合によってピン１９とソケット２１とが接続状態に保持される。
【００２１】
なお、係合部２２，２３は、ケーブル１６を引っ掛けたときに容易に外れるように、係合部分を浅くしておくとよい。また、不正接続を予防するために、ハウジング１８，２０を透明樹脂で成形してもよく、基板側コネクタ１４を外部中継基板５の裏面に裏機構板３へ埋没する形態で設けてもよい。
【００２２】
図５及び図６に示すように、収納ボックス１２は樹脂製の本体部２５と樹脂製の蓋部２６とから構成され、本体部２５に外部中継基板５を収容する凹所２７が設けられ、蓋部２６には基板側コネクタ１４を露出させる窓孔２８が形成されている。凹所２７の四隅には外部中継基板５の位置決め孔２９に嵌合する突起３０が設けられ、凹所２７の下端に係止溝３１が形成されている。蓋部２６は、下端折曲部３２を係止溝３１に差し込み、上端折曲部３３を本体部２５の上面に引っ掛けて、本体部２５に対し分解可能に組み付けられている。本体部２５及び蓋部２６の上端にはそれぞれ左右一対の腕部３４，３５が突設され、各腕部３４，３５に貫通孔３６，３７が組付状態で同一水平軸線上に位置するように形成されている。
【００２３】
図７（ａ），（ｂ），（ｃ）に示すように、基板設置部材１１は樹脂で薄箱状に成形され、収納ボックス１２を収める収容部３９を備えている。収容部３９の底面には凸部４０が形成され、収納ボックス１２の下面には凸部４０に嵌合する凹部４１（図３参照）が形成され、凸部４０と凹部４１とにより外部中継基板５を基板設置部材１１に対し平行に保持するスナップ部材が構成されている。収容部３９の左右両側において、基板設置部材１１の上端には軸受孔４２が形成され、これらの軸受孔４２に水平軸４３がスプリング４４を介して出没自在に挿入されている。
【００２４】
水平軸４３には操作片４５が基板設置部材１１のスリット４６から上方へ露出するように設けられ、操作片４５のスライド操作により、水平軸４３が収納ボックス１２の貫通孔３６，３７に進入するボックス組付位置と、貫通孔３６，３７から退避するボックス切離位置とに駆動される。そして、ボックス組付位置において、水平軸４３は、基板側コネクタ１４からケーブル側コネクタ１５と反対方向へ離れた位置にあって、基板側コネクタ１４より上位に外部中継基板５の上側縁と平行な軸線を形成し、この軸線周りで、収納ボックス１２及び外部中継基板５が基板設置部材１１に対して機体１の前後方向へ回動可能に取り付けられている。
【００２５】
次に、上記のように構成されたパチンコ機において、回路基板取付装置６の動作について説明する。パチンコ機を遊技店に搬入出する際には、図８（ａ）に示すように、収納ボックス１２が凸部４０により基板設置部材１１と平行に保持される。このため、運搬時に収納ボックス１２が飛び出すおそれがなく、これに収納された外部中継基板５の損傷を未然に防止することができる。パチンコ機が遊技店に設置された状態では、図８（ｂ）に示すように、収納ボックス１２を凸部４０から外して基板設置部材１１の外へ回動し、基板側コネクタ１４にケーブル側コネクタ１５を接続し、外部中継基板５と払出制御基板８及び遊技島設備との間にケーブル１６を配線する。
【００２６】
こうすれば、下向きの基板側コネクタ１４にケーブル側コネクタ１５を簡単かつ正確に接続することができる。そして、この接続状態では、基板側コネクタ１４のピン１９とケーブル側コネクタ１５のソケット２１とが、共に外部中継基板５の板面と平行な状態で接続される（図３参照）。配線作業後には、収納ボックス１２が容易に回動できるように、これを凸部４０から外したままの状態で、基板設置部材１１に対しやや斜めに配置しておくのが好ましい。ただし、凸部４０による保持力を弱く設定し、収納ボックス１２を凸部４０で止めて、基板設置部材１１と平行に戻しておいてもよい。
【００２７】
一方、パチンコ機の保守点検作業に際し、外部中継基板５の下側で作業者が誤ってケーブル１６を引っ掛けると、図８（ｃ）に示すように、ケーブル１６が斜め下方へ引っ張られる。このとき、両方のコネクタ１４，１５のピン１９及びソケット２１が外部中継基板５の板面と平行に接続されているので、ケーブル１６に作用する張力で、収納ボックス１２が上端の水平軸４３を中心にケーブル１６と平行となるように回動する。このため、ケーブル１６、ケーブル側コネクタ１５及び基板側コネクタ１４が一直線となって、ケーブル１６の折れ曲がりが防止される。
【００２８】
また、ケーブル１６に大きな張力が作用した場合には、図８（ｄ）に示すように、ソケット側係合部２３がピン側係合部２２から解除され、ケーブル側コネクタ１５が基板側コネクタ１４から容易に引き抜かれる。このときも、ケーブル１６及びコネクタ１４，１５が一直線となっているため、ケーブル１６とソケット２１との接続部、ピン１９と外部中継基板５との接続部のどちらにも無理な力が作用せず、ケーブル１６につながる一連の配線部品の変形や破損を抑制することができる。特に、軽量な外部中継基板５は、ケーブル１６に作用する張力で軽く回動するため、高い損傷抑制効果が得られる。
【００２９】
＜第２実施形態＞
図９〜図１２は本発明をパチンコ機に具体化した第２実施形態を示すものである。この実施形態の回路基板取付装置５１は、基板設置部材５２の構成、並びに、基板設置部材５２に収納ボックス１２を取り付ける構造において、第１実施形態の回路基板取付装置６と相違する。第１実施形態と同一又は類似する部材については、図面に同一の符号を付してその説明を省略する。
【００３０】
図９及び図１０に示すように、収納ボックス１２は、外部中継基板５を収納する本体部２５と、基板側コネクタ１４を露出させる蓋部２６とから構成され、本体部２５、蓋部２６及び外部中継基板５が共通のネジ５３で分解可能に組み付けられている。本体部２５の上面中央部には左右一対の起立片５４が立設され、両起立片５４の間に水平軸である取付軸５５が外部中継基板５の上側縁と平行に架設されている。基板設置部材５２は小箱形に樹脂成形され、上端が開いた軸受部５６と左右一対の取付片５７とを備え、取付片５７にてネジ５８で裏機構板３に取り付けられている。
【００３１】
基板設置部材５２と収納ボックス１２との間には樹脂製の連結部材６０が介装され、連結部材６０に頭付きの連結軸６１と軸受孔６２とが形成されている。連結軸６１は基板設置部材５２の軸受部５６に回動可能かつ着脱自在に取り付けられ、この連結軸６１により収納ボックス１２が基板設置部材５２に対し外部中継基板５の板面と直角な軸線の周りで回動可能に連結されている。軸受孔６２には取付軸５５が回動可能に挿通され、取付軸５５により収納ボックス１２が基板設置部材５２に対し外部中継基板５の上側縁と平行な軸線の周りで回動可能に取り付けられている。なお、基板設置部材５２には、連結軸６１の上方離脱を防止するために、軸受部５６の上端開口幅を僅かに狭くする突出部６３が形成されている。
【００３２】
上記構成の回路基板取付装置５１においては、図１１（ａ）に示すように、基板側コネクタ１４にケーブル側コネクタ１５が接続され、ピン１９及びソケット２１が外部中継基板５の板面と平行に接続される（図１０参照）。ケーブル１６に裏機構板３と直交する面内の張力が作用すると、図１１（ｂ）に示すように、収納ボックス１２が取付軸５５を中心に裏機構板３から離間する方向へ回動し、大きな張力が作用した場合には、図１１（ｃ）に示すように、ケーブル側コネクタ１５が基板側コネクタ１４から容易に引き抜かれる。また、ケーブル１６に裏機構板３と平行な面内の張力が作用すると、図１２（ａ），（ｂ）に示すように、収納ボックス１２が連結軸６１を中心に右又は左へ揺動する。従って、ケーブル１６がどの方向に引っ張られた場合でも、ケーブル１６につながる一連の配線部品の損傷をより効果的に抑制することができる。
【００３３】
＜第３実施形態＞
図１３〜図１６は、本発明をパチンコ機に具体化した第３実施形態を示すものである。この実施形態の回路基板取付装置７１は、基板側コネクタ１４とケーブル側コネクタ１５との接続方式において、第１及び第２実施形態の基板取付装置６，５１と相違する。その他の構成は第１実施形態と同様であり、同一の部材については図面に同一符号を付してその説明を省略する。
【００３４】
図１３及び図１４に示すように、この回路基板取付装置７１においては、外部中継基板５の基板側コネクタ１４に屈曲型コネクタ７２を介してケーブル側コネクタ１５が接続されている。図１５（ａ），（ｂ）に示すように、屈曲型コネクタ７２は、ケーブル側コネクタ１５に接続される雄型コネクタ素子７３と、基板側コネクタ１４に接続される雌型コネクタ素子７４とを軸７５で回動可能に連結して構成されている。雄型コネクタ素子７３の樹脂ハウジング７６には、複数本のピン７７とピン側係合部７８とが設けられ、雌型コネクタ素子７４の樹脂ハウジング７９には複数本のソケット８０とソケット側係合部８１とが設けられ、ピン７７及びソケット８０は可撓性の導線８２で接続されている。なお、図示例では、導線８２が外部に露出しているが（図１４参照）、これを柔軟なカバーで覆ってもよい。
【００３５】
上記構成の回路基板取付装置７１においては、図１４に示すように、収納ボックス１２が凸部４０により基板設置部材１１と平行に保持される。そして、基板側コネクタ１４に屈曲型コネクタ７２の雌型コネクタ素子７４が接続され、ピン１９及びソケット８０が外部中継基板５の板面と平行に接続される。この状態で、ケーブル１６が斜め下方へ引っ張られると、まず、図１６（ａ）に示すように、屈曲型コネクタ７２の雄型コネクタ素子７３が軸７５を中心に張力作用方向へ回動される。従って、ケーブル１６の変位量が僅かであった場合は、その変位分を屈曲型コネクタ７２の回動により吸収して、収納ボックス１２を不必要にバタ付かせず、外部中継基板５を振動や衝撃から保護することができる。
【００３６】
ケーブル１６がさらに引っ張られると、今度は、図１６（ｂ）に示すように、収納ボックス１２が凸部４０から解放され、ケーブル１６と平行となるように、水平軸４３を中心に基板設置部材１１の外へ回動される。これにより、屈曲型コネクタ７２が伸び、ケーブル１６、ケーブル側コネクタ１５、屈曲型コネクタ７２、基板側コネクタ１４が一直線となり、ケーブル１６の折れ曲がりが防止される。また、ケーブル１６に大きな張力が作用すると、図１６（ｃ）に示すように、ケーブル側コネクタ１５が屈曲型コネクタ７２の雄型コネクタ素子７３から引き抜かれるか、或いは、屈曲型コネクタ７２の雌型コネクタ素子７４が基板側コネクタ１４から引き抜かれ、屈曲型コネクタ７２を含む一連の配線部品の損傷が抑制される。
【００３７】
＜第４実施形態＞
図１７〜図１９は、本発明をパチンコ機に具体化した第４実施形態を示すものである。図１７（ａ）に示すように、この実施形態の回路基板取付装置９１は機枠２の背面において上端部右隅に設置されている。図１７（ｂ）に示すように、外部中継基板５を収納した収納ボックス１２は、第２実施形態と同様、連結部材６０を介し基板設置部材５２に直交２軸線の周りで回動可能に取り付けられ、基板設置部材５２は機枠２に固定されている。図１８に示すように、ケーブル側コネクタ１５は、第３実施形態と同様、屈曲型コネクタ７２を介し基板側コネクタ１４に接続されている。なお、図１７（ｂ）は機枠２を正面側から見た図であり、図１７〜図１９において、第２、第３実施形態と同一の符号はそれと同一の部材を示す。
【００３８】
図１９に示すように、外部中継基板５は収納ボックス１２の下部に収納され、その下側で屈曲型コネクタ７２の雄型コネクタ素子７３が機枠２の前後方向へ１８０°回動できるように構成されている。この構成によれば、例えば、図１７（ｂ）に示す右側２つの雄型コネクタ素子７３を、図１９（ａ）に示すように、機枠２の内側（機体正面側）に回動することで、外部中継基板５の２つの基板側コネクタ１４を機内機器に接続することができる。また、図１７（ｂ）に示す左側３つの雄型コネクタ素子７３を、図１９（ｂ）に示すように、機枠２の外側（機体背面側）に回動することで、外部中継基板５の３つの基板側コネクタ１４を遊技島設備側の機器に接続することができる。従って、配線レイアウト上の自由度が向上し、かつ配線作業も容易となる。また、基板設置部材５２が機枠２に固定されているため、機種変更又は故障等に際し、遊技盤や裏機構板３を交換する場合に、外部中継基板５を機枠２に残して継続使用可能とし、交換部品の点数を削減でき、配線作業を簡略化できる利点もある。
【００３９】
＜請求項と実施形態との対応関係＞
ここで、請求項に記載された発明と上記各実施形態で開示された具体部材との対応関係について確認する。
請求項１の「機体」は、第１・第２・第３実施形態の裏機構板３に対応し、第４実施形態の機枠２に対応する。「基板設置部材」は、第１・第３実施形態の基板設置部材１１に対応し、第２・第４実施形態の基板設置部材５２に対応する。「回路基板」は、第１・第２・第３・第４実施形態の外部中継基板５に対応する。「基板側コネクタの接続導体」は、第１・第２・第３・第４実施形態のＬ字形ピン１９の長辺部に対応する。「回路基板の周縁と略平行な軸線」は、第１・第３実施形態の水平軸４３が形成する軸線に対応し、第２・第４実施形態の取付軸５５が形成する軸線に対応する。「取付手段」は、第１・第３実施形態の基板設置部材１１に設けられた軸受孔４２に対応し、第２・第４実施形態の連結部材６０に設けられた軸受孔６２に対応する。
請求項２の「収納ボックス」は、第１・第２・第３・第４実施形態の収納ボックス１２に対応する。
請求項３の「回路基板の板面と略直角な軸線」は、第２・第４実施形態の連結軸６１が形成する軸線に対応する。「連結部材」は、第２・第４実施形態の連結部材６０に対応する。
請求項４の「一対のコネクタ素子」は、第３・第４実施形態の雄型コネクタ素子７３、雌型コネクタ素子７４に対応する。
請求項５の「水平軸」は、第１・第３実施形態の水平軸４３に対応し、第２・第４実施形態の取付軸５５に対応する。
請求項６の「スナップ部材」は、第１・第３実施形態の凸部４０、凹部４１に対応する。
【００４０】
なお、本発明は上記実施形態に限定されるものではなく、以下に例示するように、発明の趣旨から逸脱しない範囲で、各部の構成や形状を適宜に変更して実施することも可能である。
（１）上記各実施形態では、専用の基板設置部材１１，５２を用いているが、裏機構板３の一部に凹所を形成したり、機枠２の一部に切欠を形成したりして、基板設置部材を裏機構板３又は機枠２と一体的に設けてもよい。こうすれば、回路基板を少数の部品によって安定した状態で取り付けることができる。
（２）機枠２又は裏機構板３を基板設置部材として用い、これらの一部に取付手段としてのフックを設け、フックに回路基板の取付孔を引っ掛け、回路基板をフックに対し回動可能に取り付けてもよい。
（３）回路基板を、収納ボックスに収めないで、単独で基板設置部材に対し回動可能に取り付けてもよい。
（４）上記各実施形態の基板取付装置を、外部中継基板以外の回路基板、特に、信号中継用の中継基板の取り付けに適用してもよい。
【図面の簡単な説明】
【図１】本発明の第１実施形態を示すパチンコ機の背面図である。
【図２】第１実施形態の回路基板取付装置を示す斜視図である。
【図３】同装置の断面図である。
【図４】コネクタの接続構造を示す立面図である。
【図５】収納ボックスの分解斜視図である。
【図６】収納ボックスの断面図である。
【図７】収納ボックスの取付構造を示す斜視図である。
【図８】回路基板取付装置の動作説明図である。
【図９】第２実施形態の回路基板取付装置を示す分解斜視図である。
【図１０】同装置の断面図である。
【図１１】同装置の動作説明図である。
【図１２】同装置の別の動作説明図である。
【図１３】第３実施形態の回路基板取付装置を示す斜視図である。
【図１４】同装置の断面図である。
【図１５】屈曲型コネクタの接続構造を示す立面図である。
【図１６】回路基板取付装置の動作説明図である。
【図１７】第４実施形態の回路基板取付装置の設置部位を示す機枠の外観図である。
【図１８】同装置の斜視図である。
【図１９】同装置の動作説明図である。
【符号の説明】
１　　機体
２　　機枠
３　　裏機構板
５　　外部中継基板
６　　回路基板取付装置（第１実施形態）
１１　　基板設置部材
１２　　収納ボックス
１４　　基板側コネクタ
１５　　ケーブル側コネクタ
１６　　ケーブル
１９　　ピン
４０　　凸部
４３　　水平軸
５１　　回路基板取付装置（第２実施形態）
５２　　基板設置部材
５５　　取付軸
６０　　連結部材
６１　　連結軸
７１　　回路基板取付装置（第３実施形態）
７２　　屈曲型コネクタ
７３　　雄型コネクタ素子
７４　　雌型コネクタ素子
７５　　軸
９１　　回路基板取付装置（第４実施形態）
【図１】
2004113555.tif 000003
【図２】
2004113555.tif 000004
【図３】
2004113555.tif 000005
【図４】
2004113555.tif 000006
【図５】
2004113555.tif 000007
【図６】
2004113555.tif 000008
【図７】
2004113555.tif 000009
【図８】
2004113555.tif 000010
【図９】
2004113555.tif 000011
【図１０】
2004113555.tif 000012
【図１１】
2004113555.tif 000013
【図１２】
2004113555.tif 000014
【図１３】
2004113555.tif 000015
【図１４】
2004113555.tif 000016
【図１５】
2004113555.tif 000017
【図１６】
2004113555.tif 000018
【図１７】
2004113555.tif 000019
【図１８】
2004113555.tif 000020
【図１９】
2004113555.tif 000021